(57)【要約】      （修正有）【課題】筒状の軸に螺旋状もしくは波形状の付属編地を一体的に編成した編物を提供する。【解決手段】一体に編成された筒状編地２と付属編地４、５とから成り、編成により、筒状編地２に付属編地４、５の一端部３が、筒状編地の複数のウェールに対し、ウェールをずらしながら接続されて、付属編地４、５が筒状編地２に螺旋状または波形状に取り付けられていると共に、付属編地４、５のウェールの向きが一端部３に平行である編物であって、好ましくは、一端部３に沿っての付属編地４、５の周長よりも、筒状編地２とは反対側の他端部での付属編地４、５の周長が長い編物。【選択図】図１
2016023388.tif 000002
【特許請求の範囲】
【請求項１】
一体に編成された筒状編地と付属編地とから成り、
編成により、筒状編地に付属編地の一端部が、筒状編地の複数のウェールに対し、ウェールをずらしながら接続されて、付属編地が筒状編地に螺旋状または波形状に取り付けられていると共に、
付属編地のウェールの向きが前記一端部に平行である、編物。
【請求項２】
前記一端部に沿っての付属編地の周長よりも、筒状編地とは反対側の他端部での付属編地の周長が長いことを特徴とする、請求項１の編物。
【請求項３】
付属編地は、編糸で構成された複数の編目から成る編成組織と、前記編成組織に挿入されている経糸もしくは横糸を有することを特徴とする、請求項２の編物。
【請求項４】
前記編糸は熱融着性または熱硬化性の合成樹脂を含み、加熱されて編糸が互いに、あるいは編糸が経糸もしくは横糸に融着していることを特徴とする、請求項１〜３のいずれかの編物。
【請求項５】
前後少なくとも一対の針床を備える横編機により、
a：  前編地と後編地とから成る筒状編地と、少なくとも１つの付属編地とを、針床上で一体的に編成するステップと、
b:  筒状編地の前編地と後編地とを、針床上で互いに逆方向に移動させるステップ、を繰り返して行うことにより、
一体に編成された筒状編地と付属編地とから成り、
編成により、筒状編地に付属編地の一端部が、筒状編地の複数のウェールに対し、ウェールをずらしながら接続されて、付属編地が筒状編地に螺旋状または波形状に取り付けられていると共に、
付属編地のウェールの向きが前記一端部に平行である、編物を編成する編成方法。
【請求項６】
前記一端部に沿っての付属編地の周長よりも、筒状編地とは反対側の他端部での付属編地の周長が長くなるように編成することを特徴とする、請求項５の編成方法。
【請求項７】
付属編地を、編糸で構成された複数の編目から成る編成組織を編成することと、前記編成組織に経糸もしくは横糸を挿入すること、とにより編成することを特徴とする、請求項６の編成方法。
【発明の詳細な説明】
【技術分野】
【０００１】
この発明は、筒状編地と螺旋状あるいは波形状の付属編地とを有する編物、及びその編成方法に関する。
【背景技術】
【０００２】
特許文献１（特公昭61-19432）は、円盤状の編地を積層してディスクブレーキとすることを提案している。特許文献１では、黒化した合成樹脂繊維により螺旋状の編地を編成し、螺旋と螺旋とを隙間無く積層する。次いで加熱すると、合成樹脂繊維は炭素繊維となり、円盤状のディスクブレーキが得られる。しかしながら特許文献１のディスクブレーキは、中心となる筒状編地に螺旋状に付属編地が接続されたものではない。
【０００３】
出願人は、特許文献２（特開2011-202329）において、炭素繊維、ガラス繊維、アラミド繊維等の経糸と横糸とで補強した編地の編成方法を提案した。この編地を加熱し、編成組織を構成する編糸を経糸と横糸に融着させると、編糸により経糸と横糸が互いに結合し、変形しなくなる。
【先行技術文献】
【特許文献】
【０００４】
【特許文献１】特公昭61-19432
【特許文献２】特開2011-202329
【発明の概要】
【発明が解決しようとする課題】
【０００５】
筒状編地の周囲に螺旋状あるいは波形状に付属編地を取り付ける場合、従来技術では、付属編地を縫製あるいは接着等により、筒状編地に取り付ける必要があった。これに対して発明者は、筒状の軸と螺旋状あるいは波形状の付属編地が一体に編成されている編物を構想した。付属編地の取付は編成自体を利用して行い、縫製、接着等は行わない。そして螺旋あるいは波形のピッチは調整自在で、用途に応じた間隔で螺旋あるいは波形が繰り返すようにする。このような編物が得られると、ラッフルスカート等の衣類、フィルター、アルキメデスポンプ等に利用できるはずである。
【０００６】
この発明の課題は、筒状編地と付属編地とを一体的に編成した編物と、その編成方法とを提供することにある。
【課題を解決するための手段】
【０００７】
この発明の編物は、一体に編成された筒状編地と付属編地とから成り、編成により、筒状編地に付属編地の一端部が、筒状編地の複数のウェールに対し、ウェールをずらしながら接続されて、付属編地が筒状編地に螺旋状または波形状に取り付けられていると共に、付属編地のウェールの向きが前記一端部に平行である。例えば筒状編地と付属編地を同じ編糸で一体に編成し、あるいは異なる編糸で編成して、タック、重ね目、編糸の交差等により一体に接合する。このためこの発明では、筒状編地に付属編地が螺旋状にあるいは波形状に一体的に取り付けられている編物を、無縫製かつ無接着で、編機上で編成できる。
【０００８】
好ましくは、前記一端部に沿っての付属編地の周長よりも、筒状編地とは反対側の他端部での付属編地の周長が長い。例えば筒状編地から外周へと向かう方向を、付属編地の半径方向として、半径方向を編成のコース方向とする。そして外周に沿っての付属編地の周長を、内周に沿っての付属編地の周長よりも長くするには、半径方向内側の編目を針に固定したまま半径方向外側の編目に次の編目を形成する、引き返し編成を行うと良い。編目のサイズを半径方向の位置に沿って変えても、外周側の周長を内周側よりも長くできる。もちろん、引き返し編成と、編目のサイズを半径方向に沿って変えることとを、併用しても良い。
【０００９】
好ましくは、付属編地は、編糸で構成された複数の編目から成る編成組織と、前記編成組織に挿入されている経糸もしくは横糸を有する。経糸のみを挿入して固定する場合、例えば経糸を基準にして、針床間の歯口の手前側を通る編糸による編目コースと、奧側を通る編糸による編目コースとにより、経糸を挟み込む。横糸のみを挿入して固定する場合、例えばリブ編みを行って、交互に並ぶ表目と裏目との間に横糸をインレイすればよい。経糸と横糸は炭素繊維、ガラスファイバー、アラミド繊維等であり、経糸の方向あるいは横糸の方向に沿って、編物の強度を高める。そして経糸と横糸の双方を編成組織に挿入すると、２方向に強化された編物が得られる。
【００１０】
好ましくは、編糸は加熱により溶融する熱溶融糸から成り、編糸は加熱されて互いに融着するか、あるいは経糸もしくは横糸に融着している。これによって編物の強度が増す。熱溶融糸の中でも、一度溶融すると二度と溶融しない熱硬化性の編糸が好ましい。
【００１１】
この発明の編成方法では、前後少なくとも一対の針床を備える横編機により、
a：  前編地と後編地とから成る筒状編地と、少なくとも１つの付属編地とを、針床上で一体的に編成するステップと、
b:  筒状編地の前編地と後編地とを、針床上で互いに逆方向に移動させるステップ、
を繰り返して行うことにより、
一体に編成された筒状編地と付属編地とから成り、
編成により、筒状編地に付属編地の一端部が、筒状編地の複数のウェールに対し、ウェールをずらしながら接続されて、付属編地が筒状編地に螺旋状または波形状に取り付けられていると共に、
付属編地のウェールの向きが前記一端部に平行である、編物を編成する。
【００１２】
ステップa,bは繰り返し行い、ステップbで、筒状編地の前編地と後編地とを針床上で互いに逆方向に移動させると共に、ステップaで、前編地と後編地とから成る筒状編地と、少なくとも１つの付属編地とを、針床上で一体的に編成するので、筒状編地に付属編地の一端部が、ウェールをずらしながら螺旋状または波形状に取り付けられる。筒状編地でのウェールの方向は、横編機上では筒の軸から傾いているが、横編機から外すと真っ直ぐになろうとする。そしてこれに伴い、付属編地が螺旋状あるいは波形状になる。ステップaで、筒状編地と付属編地とを一体的に編成するので、付属編地のコース方向に沿っての端部の編目が筒状編地に接続され、付属編地のウェール方向は螺旋状あるいは波形状になる。筒状編地と付属編地は、同じ編糸で編成しても異なる編糸で編成しても良い。なお編糸が異なる場合、筒状編地と付属編地の境界で、編糸の交差、タック等により、編地を接続する。なおこの明細書において、編物に関する記載はそのまま編成方法にも当てはまり、逆に編成方法に関する記載はそのまま編物にも当てはまる。  
【００１３】
好ましくは、前記一端部に沿っての付属編地の周長よりも、筒状編地とは反対側の他端部での付属編地の周長が長くなるように編成する。
【００１４】
また好ましくは、付属編地を、編糸で構成された複数の編目から成る編成組織を編成することと、前記編成組織に経糸もしくは横糸を挿入すること、とにより編成する。
【００１５】
この発明の編物により、ラッフルスカート、袖あるいは身頃に羽根状の付属編地を設けた衣類等が得られる。またこの発明は、アルキメデスポンプ、フィルター等とすることができる。
【図面の簡単な説明】
【００１６】
【図１】実施例の編物を模式的に示す図で、(a)は１枚羽根の編物を、(b)は２枚羽根の編物を示し、(c)は２枚羽根の編物での筒状編地と付属編地とのウェールの方向を示す。
【図２】実施例の編物での付属編地の種類を示し、(a)は羽根状の付属編地を、(b)は波形状の付属編地を示す。
【図３】(a)は直径が一定でない筒状編地へ付属編地を取り付ける例を示し、(b)はこれを用いたラッフルスカートを示す。(a)の矢印は付属編地の接続部の軌跡を示す。
【図４】実施例の編物（２枚羽根）での付属編地を示し、(a)では付属編地は１枚の編地から成り、(b)では付属編地は外周部で互いに接続している２枚の編地から成る。
【図５】付属編地の内周部と外周部とでの、ウェール方向に沿った長さの違いを示す図
【図６】実施例の編物（２枚羽根）での、２枚の羽根の位置関係を示す図
【図７】実施例の編物（２枚羽根）での、ピッチＰと筒状編地の直径Ｄとを示す図
【図８】実施例の編物（２枚羽根）の、編成方法を示す図
【図９】重ね目を作らずに、筒状編地を回し込むための編成方法を示す図
【図１０】経糸と横糸とを挿入した編成組織を示す図
【発明を実施するための形態】
【００１７】
以下に、発明を実施するための最適実施例を示す。
【実施例】
【００１８】
図１は編物の例を示し、(a)では、筒状編地２に、１枚の羽根状の付属編地４が螺旋状に取り付けられている。(b)では、筒状編地２に、２枚の羽根状の付属編地４，５が螺旋状に取り付けられている。なお筒状編地２と付属編地４，５は、例えば同じ編糸で、前後少なくとも一対の針床を有する横編機上で編成されている。また付属編地４，５の各々の一端部３は、筒状編地２に対して、ウェールをずらしながら接続されている。この接続のため、編成の途中で、筒状編地２中の前編地と後編地とを、針床上で互いに逆方向に移動させることを繰り返している。
【００１９】
図１(c)は、横編機上での(b)の編物でのウェールの方向を示し、(a)の編物でも同様である。中央部が筒状編地２で、その左右が付属編地４，５である。筒状編地２のウェールの方向は、斜め上向きである。これに対して、付属編地４，５のウェールの方向は螺旋状で、付属編地４，５と筒状編地２との接続部である一端部３に平行である。なお図１(c)では、簡単のために、付属編地４，５のウェールの方向を上向きに示している。
【００２０】
図２の(a)は、筒状編地２に羽根状の付属編地４が螺旋状に取り付けられている例を示し、(b)は、筒状編地２に波形状の付属編地６が取り付けられている例を示す。
【００２１】
図３は筒状編地２’の直径が一定でない例を示し、(a)に付属編地の接続部の軌跡８を矢印で示す。軌跡８に沿って羽根状の付属編地９の一端部が取り付けられると、(b)のラッフルスカート７となる。なお図３のように、直径の大きな筒状編地２’に、筒状編地２’の周方向に近い緩やかな角度で、付属編地９を取り付ける場合、付属編地９のウェール方向に沿っての編目の数を、筒状編地２’のウェール方向に沿っての編目の数よりも大きくする。これに対して、図２のように、直径の小さな筒状編地２に、急な角度で付属編地４，６を取り付ける場合、付属編地６のウェール方向に沿った編目の数は、筒状編地２のウェール方向に沿った編目の数以上で、例えばこれらが等しくても良い。
【００２２】
図４は付属編地の例を示し、(a)の付属編地４，５は各１層で、(b)の付属編地１０，１１は２層で、編地１４，１５から成り、筒状編地とは反対側の他端部１６で編地１４，１５が連続している。
【００２３】
図５は１枚の羽根状の付属編地４を示し、見やすくするために実際にはない切れ目１９を追加してある。付属編地４の内周を１７、その半径をｒ1，外周を１８、その半径をｒ2とする。付属編地４のコース方向は半径方向で、ウェール方向は周方向である。そして外周１８と内周１７とでの周長の比はｒ2/ｒ1であり、周長の差を補うため、外周１８側で内周１７側よりも多数のコースを引き返しにより編成するか、外周１８側で内周１７側よりも編目のサイズを大きくする。
【００２４】
図６は２枚の羽根状の付属編地４，５を示す。なお針抜き編成等により筒状編地２を編成し、筒状編地２の編成に用いる針と針の間の空針等を用いて追加の付属編地２０，２１等を編成すると、３枚以上の付属編地を筒状編地２に取り付けることも可能である。
【００２５】
図７は、付属編地を取り付けるピッチＰと筒状編地２の直径Ｄを示し、付属編地の接続部の軌跡８は螺旋状である。筒状編地２のウェールは１ピッチＰ毎に１回転し、筒状編地の編目を寄せる（一方向に回転させる）ことにより、ウェールの方向は筒状編地の軸方向に対して傾斜する。編目を寄せる距離は、筒状編地２の直径Ｄに比例して大きくなる。この一方で、編糸が切れないようにするため、寄せの目数には上限がある。そこで、直径ＤとピッチＰとの比を寄せが可能なように定める。
【００２６】
図８は、図１(c)と図４(b)に相当する編物の編成工程を示す。例えば２枚ベッドの横編機を用い、筒状編地と、付属編地とを編成する。FBは前針床を、BBは後針床を示し、●は新規に形成する編目、○は以前に形成した編目、◎は重ね目、∧と∨は掛目を表し、矢印は編成の方向あるいは目移しの方向を示す。Ａ〜ＢＢ等は後針床BBの針を、ａ〜bb等は前針床の針を示す。
【００２７】
Ｓ０は筒状編地と付属編地の編目が針床に保持されている状態を表し、筒状編地中の前編地は針（ｋ，ｍ，ｏ，ｑ）に保持され、後編地は針（Ｌ，Ｎ，Ｐ，Ｒ）に保持されている。右側の付属編地は針（Ｔ，Ｖ，Ｘ，Ｚ，ＢＢ）に保持され、左側の付属編地は針（ａ，ｃ，ｅ，ｇ，ｉ）に保持されている。Ｓ１からＳ２０の編成を行い、この間に筒状編地は前後各３コースの編目が編成され、付属編地では筒状編地との接続部で４コース相当の編目が編成され、筒状編地とは反対側の他端部で６コース相当の編目が編成される。付属編地の筒状編地寄りとその反対側とで編目のコース数を変えるため、引き返し編成するが、付属編地の外周側（筒状編地とは反対側）で編目のサイズを大きくしても良い。
【００２８】
ステップ１では、筒状編地中の前編地を後針床BBへ目移しした後、２目分左に寄せて前針床FBへ移し戻す。このとき、針ｋに重ね目ができて、針qは空針となる。またステップ２で、筒状編地中の後編地を２目分右側へ寄せる。ステップ１，２により、筒状編地での前編地と後編地を反対方向に移動させる。ステップ３〜８で、右側の付属編地を引き返し編成し、筒状編地とは反対側の他端部で、筒状編地側よりも、多数のコースで編目を編成する。ステップ９で、左右の付属編地と筒状編地とを編成し、これによって筒状編地と付属編地が接続される。またこの時、寄せにより減少した編目を補うように、掛目を筒状編地に形成する。なお１往復の編成で、筒状編地では前後各１コースの編目列が形成され、１層の付属編地では２列の編目列が形成される。付属編地と筒状編地の接続部で、ウェール方向に沿っての付属編地と筒状編地との編目数の比が１よりもやや多い程度にするため、付属編地では、２コースの編成で１コース分の編目列が編成されるスムース編みを行う。
【００２９】
ステップ１０〜１５で左側の付属編地を編成し、引き返し編成により、筒状編地の反対側の他端部では筒状編地側の一端部よりも多数のコースで編目を編成する。なお引き返し編成では、外側から編み始めて徐々に編幅を増している。ステップ１６で、左右の付属編地と筒状編地とを編成して、筒状編地と付属編地を接続すると共に、掛目を筒状編地に形成する。なおステップ９で筒状編地中の後編地を編成し、ステップ１６で前編地を編成したが、ステップ９で前編地を編成し、ステップ１６で後編地を編成しても良い。ステップ１７〜２０では、左右の付属編地と筒状編地とを、所望のコース数だけ編成する。
【００３０】
ステップ１〜２０を繰り返して、編物を編成する。即ち、ステップ２０に続いて、ステップ１と同様の編成を行う。
【００３１】
筒状編地２と付属編地４，５を１本の編糸で編成し、ステップ９，１６〜２０で、筒状編地２と付属編地４，５を同一コースで編成したので、筒状編地２と付属編地４，５は自ずと接続される。筒状編地では寄せを繰り返すので、ウェールが斜め向きになる。また筒状編地のウェールをずらしながら、付属編地を筒状編地に接続する。そして編物を横編機から外すと、筒状編地のウェールは真っ直ぐに戻ろうとし、これに伴って付属編地は螺旋状になる。このため付属編地のウェールも螺旋状になる。
【００３２】
図５に示したように、付属編地４，５の外周部は内周部よりも編目の数を増す必要がある。そこで図８に示したように、引き返しにより付属編地の外周部（筒状編地の反対側）で内周部（筒状編地側）よりも多数のコースを編成する。ただし外周部で編目のサイズを内周部よりも大きくしても、外周部の周長を内周部よりも増すことができる。さらに、編成の途中で筒状編地の寄せの方向を反転すると、波形状に付属編地が取り付けられる。
【００３３】
４枚ベッドの横編機を用いると、図８とは異なり空針を設ける必要がない。またスライドニードルを備える横編機では、対向する針床のスライドニードルのスライダーに編目を預けることにより目移しができ、同様に空針が不要になる。
【００３４】
図８では、筒状編地を前編地と後編地とで逆方向に寄せたが、図９のように、筒状編地を回し込んでも良い。Ａ〜Ｆ及びａ〜ｆは筒状編地のウェールで、目移しとニットとにより、筒状編地２が回し込まれる。回し込みに伴い、付属編地４が接続されるウェールはｆ→ｅ→ｄ→ｃの順に変化し、付属編地５が接続されるウェールはＡ→Ｂ→Ｃ→Ｄの順に変化する。
【００３５】
図１０は、特許文献２に従って、編物へ経糸３６と横糸３４を挿入する例を示す。前のコースの編目３０に続いて新しい編目３１が形成され、渡糸３２と横糸３４に囲まれるように経糸３６が配置され、また横糸３４は経糸３６と編目３１とに挟まれている。横糸３４と経糸３６の双方を挿入しても、あるいは一方を挿入しても良く、付属編地のみに挿入しても、筒状編地を含む編物全体に挿入しても良い。
【００３６】
ここで横糸３４，経糸３６を炭素繊維、ガラスファイバー、アラミド繊維等とし、編目３０，３１と渡糸３２を構成する編糸を熱溶融糸、特に熱硬化性の合成樹脂を含む糸とすることが好ましい。そして編成後に熱処理すると、編糸が経糸３６と横糸３４に融着して、これらを一体に結合する。従って編物の強度が増し、また形状が一定になる。なお横糸３４も経糸３６も無い場合、編糸が互いに融着して編物の強度が増す。
【００３７】
図２（b）の編物に付いて補足する。波形状の付属編地６を、高強度のモノフィラメント等から成る横糸（インレイ糸）と、例えば水溶性の編糸とで編成し、横糸を筒状編地２に挿入し、タック等で筒状編地２に固定する。編成後に、付属編地６から水溶性の編糸を除くと、筒状編地２に波形状の刷毛が取り付けられたものとなる。この編物は、例えば掃除機の刷毛を備えたローラとすることができる。
【００３８】
図１０のように、経糸３６と横糸３４を挿入した編物について補足する。編糸を溶着させずに、通気性あるいは通液性のある編物とすると、フィルターとして用いることができる。そして例えば、筒状編地に金属パイプ等を通して回転自在にした状態で使用する。編物の付属編地が濾過対象の物質により目詰まりすると、編物は回転を始め、目詰まりするまでは回転しない。そこで編物の回転の有無から、フィルターの目詰まりを検出できる。
【符号の説明】
【００３９】
２，２’        筒状編地
３              一端部
４，５          付属編地（羽根状）
６              波形状の付属編地
７              ラッフルスカート
８              付属編地の接続部の軌跡
９              付属編地
１０，１１      付属編地（羽根状）
１４，１５      編地
１６            他端部
１７            内周
１８            外周
１９            切れ目
２０，２１      付属編地（羽根状）
３０，３１      編目
３２            渡糸
３４            横糸（インレイ糸）
３６            経糸
Ｐ              付属編地のピッチ
Ｄ              筒状編地の直径
Ａ〜Ｆ，ａ〜ｆ  筒状編地のウェール  
【図１】
2016023388.tif 000003
【図２】
2016023388.tif 000004
【図３】
2016023388.tif 000005
【図４】
2016023388.tif 000006
【図５】
2016023388.tif 000007
【図６】
2016023388.tif 000008
【図７】
2016023388.tif 000009
【図９】
2016023388.tif 000010
【図１０】
2016023388.tif 000011
【図８】
2016023388.tif 000012